(57)【特許請求の範囲】
【請求項１】
一側にフラットケーブル端末部が挿入されるフラットケーブル端末部挿入部が形成され、他側にフラットケーブルと接続される電線端末の相手コネクタが嵌合される嵌合フード部が形成されたコネクタハウジングと、
このコネクタハウジング内に収容され、一端が前記フラットケーブル端末部に接続され他端が前記相手コネクタに収容された電線端末の端子金具と接続されて前記フラットケーブルと前記電線とを接続する中継端子とで形成され、
前記フラットケーブル端末部挿入部に、前記フラットケーブル端末部に装着されたシール材が収容されるシール材収容部が設けられており、
前記フラットケーブル端末部挿入部から前記嵌合フード部に向かって、前記シール材収容部とスライダ収容部と中継端子収容部とが順にならんで設けられており、
前記中継端子収容部には、前記中継端子が収容され、
前記スライダ収容部には、前記フラットケーブル端末部で前記シール材よりも先端側に取り付けられたスライダが収容され、
前記シール材収容部と前記スライダ収容部と前記中継端子収容部とが前記コネクタハウジング内で連通するように形成された孔部からなっており、前記シール材収容部が最も大きく開口した孔部、前記スライダ収容部は次に大きく開口した孔部、前記中継端子収容部が最も小さく開口した孔部となっていることを特徴とするフラットケーブル用コネクタ。
【請求項２】
請求項１記載のフラットケーブル用コネクタであって、
前記フラットケーブル端末部がフラットケーブル端と、フラットケーブル端の先端側に取り付けられてフラットケーブルを前記中継端子の一端に接続させるスライダとからなり、
前記シール材は前記フラットケーブル端に装着され、
前記スライダは、フラットケーブル端の一面側を覆うスライダ本体と、フラットケーブル端の他面側を先端部を露出させた状態で覆うスライダカバーとで形成されていることを特徴とするフラットケーブル用コネクタ。
【請求項３】
請求項１又は２記載のフラットケーブル用コネクタであって、
前記中継端子は、端子本体と、この端子本体の一側に設けられて前記コネクタハウジングに収容された状態で前記嵌合フード部に突設されて相手コネクタに収容された端子金具と接続する相手端子接続部と、前記端子本体の他側に設けられてフラットケーブル端末部と接続されるフラットケーブル端末接続部とで形成されていることを特徴とするフラットケーブル用コネクタ。
【請求項４】
請求項３記載のフラットケーブル用コネクタであって、
前記端子本体にはコネクタハウジングの前記中継端子収容部の内壁に係止する係止ダボが両側部に形成され、
前記フラットケーブル端末接続部には、前記フラットケーブル端と接触するばね端子と、このばね端子の両側部に設けられてばね端子を保護する保護壁とが形成されていることを特徴とするフラットケーブル用コネクタ。
【請求項５】
請求項１〜４のいずれか１項に記載のフラットケーブル用コネクタであって、
前記フラットケーブル端末部挿入部には、前記シール材収容部と、前記中継端子のフラットケーブル端の接続側が収容される前記中継端子収容部と、フラットケーブル端末部のスライダが収容される前記スライダ収容部とが設けられ、
前記コネクタハウジングには、前記中継端子が固定される中継端子固定部が前記フラットケーブル端末部挿入部と嵌合フード部との間に設けられ、該中継端子固定部は嵌合フード部側とフラットケーブル端末部挿入部側とを連通する固定挿通孔であることを特徴とするフラットケーブル用コネクタ。
【請求項６】
請求項１〜５のいずれか１項に記載のフラットケーブル用コネクタであって、
前記相手コネクタは、前記中継端子の他端と接続される端子金具が収容された端子収容室を有したコネクタ本体と、
このコネクタ本体を覆うと共に前記コネクタハウジングの嵌合フード部が挿入される外套部と、
前記コネクタ本体内に収容され中継端子の他端と接続される端子金具の端子収容室内からの抜けを阻止するフロントホルダとで形成されており、
前記相手コネクタが前記コネクタハウジングの嵌合フード部に嵌合した状態で前記コネクタ本体の外周面と前記嵌合フード部の内壁との間にゴムパッキンが配設されていることを特徴とするフラットケーブル用コネクタ。
【発明の詳細な説明】
【技術分野】
【０００１】
本発明は、ＦＰＣ（Flexible Printed Circuits）やＦＦＣ（Flexible Flat Cable）等のフラットケーブルを相手側の電線に接続するために用いられるフラットケーブル用コネクタに関する。
【背景技術】
【０００２】
図１６〜図１８は、特許文献１に記載された従来のフラットケーブル用コネクタ１００を示す。
【０００３】
フラットケーブル用コネクタ１００は、ＦＰＣ、ＦＦＣ等のフラットケーブル１１０が装着された状態で、電線１２０が取り付けられた相手コネクタ１３０と嵌合することによりフラットケーブル１１０を電線１２０に接続する。
【０００４】
図１７及び図１８に示すように、フラットケーブル１１０は、先端部に配線パターンが形成された本体基板１１２と、本体基板１１２の配線パターンと接続されるパターンが形成され、本体基板１１２と異方性導電接着剤を介して接続される接続基板１１４とによって形成されている。接続基板１１４は、フラットケーブル用コネクタ１００に挿入されて取り付けられるものであり、フラットケーブル用コネクタ１００への位置決めを行うための固定用孔１１５が略中央部分に貫通すると共に、切り欠き部１１６が両側部に形成されている。
【０００５】
図１８に示すように、フラットケーブル用コネクタ１００は、ハウジング１０１を有し、このハウジング１０１に接続基板１１４を収容するための基板挿入部１０３が形成されている。ハウジング１０１内には、接続基板１１４の固定用孔１１５に係合する係合凸部１０５内壁の上面に形成されると共に、弾性変形可能な切り欠き部１１６と係合する係止アーム具１０６が内壁の両側部に形成されている。又、ハウジング１０１には、相手コネクタ１３０を固定するためのロック部１０７が形成されている。
【０００６】
図１７に示すように、相手コネクタ１３０はフラットケーブル用コネクタ１００のハウジング１０１に嵌入するハウジング１３１を有しており、このハウジング１３１内に電線１２０の端末の端子金具１２３が挿入される。これにより相手コネクタ１３０に電線１２０が装着される。又、ハウジング１３１には、ロック突起１３７が形成されている。符号１４０は、ハウジング１３１に挿入されることにより、端子金具１２３をハウジング１３１の所定位置に導くリテーナである。
【０００７】
このような構造では、相手コネクタ１３０をフラットケーブル用コネクタ１００の先端側から挿入して嵌合させて、そのロック突起１３７をフラットケーブル用コネクタ１００のロック部１０７に係合させ、相手コネクタ１３０とフラットケーブル用コネクタ１００とを連結する。この連結により、接続基板１１４と端子金具１２３とが導通して電気的な接続が行われる。
【先行技術文献】
【特許文献】
【０００８】
【特許文献１】特開２００７−２１４０８７号公報
【発明の概要】
【発明が解決しようとする課題】
【０００９】
しかしながら、従来のフラットケーブル用コネクタ１００においては、防水機能を有しておらず、風雨に曝される自動車や屋外機器には使用することができない問題を有している。
【００１０】
そこで、本発明は、防水機能を備えることにより、自動車や屋外機器への使用が可能なフラットケーブル用コネクタを提供することを目的とする。
【課題を解決するための手段】
【００１１】
請求項１記載のフラットケーブル用コネクタは、一側にフラットケーブル端末部が挿入されるフラットケーブル端末部挿入部が形成され、他側にフラットケーブルと接続される電線端末の相手コネクタが嵌合される嵌合フード部が形成されたコネクタハウジングと、このコネクタハウジング内に収容され、一端が前記フラットケーブル端末部に接続され他端が前記相手コネクタに収容された電線端末の端子金具と接続されて前記フラットケーブルと前記電線とを接続する中継端子とで形成され、前記フラットケーブル端末部挿入部に、前記フラットケーブル端末部に装着されたシール材が収容されるシール材収容部が設けられており、前記フラットケーブル端末部挿入部から前記嵌合フード部に向かって、前記シール材収容部とスライダ収容部と中継端子収容部とが順にならんで設けられており、前記中継端子収容部には、前記中継端子が収容され、前記スライダ収容部には、前記フラットケーブル端末部で前記シール材よりも先端側に取り付けられたスライダが収容され、前記シール材収容部と前記スライダ収容部と前記中継端子収容部とが前記コネクタハウジング内で連通するように形成された孔部からなっており、前記シール材収容部が最も大きく開口した孔部、前記スライダ収容部は次に大きく開口した孔部、前記中継端子収容部が最も小さく開口した孔部となっていることを特徴とする。
【００１２】
請求項２記載のフラットケーブル用コネクタは、請求項１記載のフラットケーブル用コネクタであって、前記フラットケーブル端末部がフラットケーブル端と、フラットケーブル端の先端側に取り付けられてフラットケーブルを前記中継端子の一端に接続させるスライダとからなり、前記シール材は前記フラットケーブル端に装着され、前記スライダは、フラットケーブル端の一面側を覆うスライダ本体と、フラットケーブル端の他面側を先端部を露出させた状態で覆うスライダカバーとで形成されていることを特徴とする。
【００１３】
請求項３記載の発明は、請求項１又は２記載のフラットケーブル用コネクタであって、前記中継端子は、端子本体と、この端子本体の一側に設けられて前記コネクタハウジングに収容された状態で前記嵌合フード部に突設されて相手コネクタに収容された端子金具と接続する相手端子接続部と、前記端子本体の他側に設けられてフラットケーブル端末部と接続されるフラットケーブル端末接続部とで形成されていることを特徴とする。
【００１４】
請求項４記載のフラットケーブル用コネクタは、請求項３記載のフラットケーブル用コネクタであって、前記端子本体にはコネクタハウジングの前記中継端子収容部の内壁に係止する係止ダボが両側部に形成され、前記フラットケーブル端末接続部には、前記フラットケーブル端と接触するばね端子と、このばね端子の両側部に設けられてばね端子を保護する保護壁とが形成されていることを特徴とする。
【００１５】
請求項５のフラットケーブル用コネクタは、請求項１〜４のいずれか１項に記載のフラットケーブル用コネクタであって、前記フラットケーブル端末部挿入部には、前記シール材収容部と、前記中継端子のフラットケーブル端の接続側が収容される前記中継端子収容部と、フラットケーブル端末部のスライダが収容される前記スライダ収容部とが設けられ、前記コネクタハウジングには、前記中継端子が固定される中継端子固定部が前記フラットケーブル端末部挿入部と嵌合フード部との間に設けられ、該中継端子固定部は嵌合フード部側とフラットケーブル端末部挿入部側とを連通する固定挿通孔であることを特徴とする。
【００１６】
請求項６記載の発明は、請求項１〜５のいずれか１項に記載のフラットケーブル用コネクタであって、前記相手コネクタは、前記中継端子の他端と接続される端子金具が収容された端子収容室を有したコネクタ本体と、このコネクタ本体を覆うと共に前記コネクタハウジングの嵌合フード部が挿入される外套部と、前記コネクタ本体内に収容され中継端子の他端と接続される端子金具の端子収容室内からの抜けを阻止するフロントホルダとで形成されており、前記相手コネクタが前記コネクタハウジングの嵌合フード部に嵌合した状態で前記コネクタ本体の外周面と前記嵌合フード部の内壁との間にゴムパッキンが配設されていることを特徴とする。
【発明の効果】
【００１７】
請求項１記載の発明によれば、フラットケーブル端末部に接続された中継端子がコネクタハウジング内に収容されており、コネクタハウジングの嵌合フード部に相手コネクタを嵌合することにより中継端子と相手コネクタ内に収容された電線端末の端子金具とが接続される。これにより、フラットケーブルと相手コネクタの電線とを接続することができる。
【００１８】
請求項１記載の発明においては、フラットケーブル端末部にシール材が装着されており、このシール材を収容するためのシール材収容部がコネクタハウジングのフラットケーブル端末部挿入部に形成されているため、フラットケーブル端末部をフラットケーブル端末部挿入部に挿入することによりシール材がシール材収容部に収容される。これにより、コネクタハウジングが防水機能を備えるため、自動車や屋外機器への使用が可能なフラットケーブル用コネクタとすることができる。
【００１９】
請求項２記載の発明によれば、スライダがフラットケーブル端に取り付けられており、スライダによってフラットケーブルを中継端子に接続させることができる。このため、フラットケーブルと中継端子との接続を確実に行うことができる。
【００２０】
請求項３記載の発明によれば、中継端子に相手端子接続部が形成されており、
中継端子がコネクタハウジングに収容された状態で相手端子接続部が相手コネクタの端子金具に接触する。これにより、フラットケーブルと相手コネクタの端子金具とを接続することができる。
【００２１】
請求項４記載の発明によれば、中継端子に形成された係止ダボがコネクタハウジングの内壁に係止されるため、中継端子をコネクタハウジングに確実に取り付けることができると共に係止ダボを介して中継端子をコネクタハウジング内に挿入することができる。又、中継端子のばね端子がフラットケーブル端に弾性を有して接触するため、中継端子とフラットケーブルとの接続を確実に行うことができる。又、ばね端子の両側部に保護壁が形成されているため、中継端子をコネクタハウジング内に挿入する際にばね端子を保護することができる。
【００２２】
請求項５記載の発明によれば、フラットケーブル端末部挿入部にシール材収容部と、中継端子収容部と、スライダ収容部とが形成されているため、シール材、中継端子、フラットケーブルのスライダを確実に収容することができる。又、中継端子を固定する固定挿通孔がコネクタハウジングに形成されているため、中継端子をコネクタハウジング内に簡単に収容することができる。
【００２３】
請求項６記載の発明によれば、相手コネクタの外套部に対して嵌合フード部を嵌合させることにより、相手コネクタとフラットケーブル用コネクタとを接続することができる。又、フロントホルダが相手端子の端子収容室からの抜けを阻止するため、相手端子を相手コネクタに確実に取り付けることができる。
【図面の簡単な説明】
【００２４】
【図１】本発明の一実施形態のフラットケーブル用コネクタ及びフラットケーブルを示す斜視図である。
【図２】フラットケーブル用コネクタを示す斜視図である。
【図３】フラットケーブル用コネクタの背面図である。
【図４】フラットケーブル用コネクタの正面図である。
【図５】フラットケーブル用コネクタの内部を示す図１におけるＡ−Ａ線断面図である。
【図６】フラットケーブルを示す分解斜視図である。
【図７】フラットケーブル用コネクタに組み込まれる中継端子の斜視図である。
【図８】中継端子の側面図である。
【図９】フラットケーブル用コネクタが接続される相手コネクタの斜視図である。
【図１０】相手コネクタの分解斜視図である。
【図１１】相手コネクタの正面図である。
【図１２】相手コネクタの内部を示す図９におけるＢ−Ｂ線断面図である。
【図１３】フラットケーブル用コネクタと相手コネクタとを示す斜視図である。
【図１４】フラットケーブル用コネクタと相手コネクタを嵌合させた状態の斜視図である。
【図１５】フラットケーブル用コネクタと相手コネクタとの嵌合状態を示す図１４におけるＣ−Ｃ線断面図である。
【図１６】従来のフラットケーブル用コネクタ及び相手コネクタを示す斜視図である。
【図１７】従来のフラットケーブル用コネクタ及び相手コネクタを示す分解斜視図である。
【図１８】図１６におけるＤ−Ｄ線断面図である。
【発明を実施するための形態】
【００２５】
図１〜図５は、本発明の一実施形態のフラットケーブル用コネクタ１を示し、図１はフラットケーブル用コネクタ１とフラットケーブル２との関係を示す斜視図、図２はフラットケーブル用コネクタ１の斜視図、図３は背面図、図４は正面図、図５は図１におけるＡ−Ａ線断面図である。図６はフラットケーブル２の分解斜視図、図７は中継端子３の斜視図、図８はフラットケーブル２をフラットケーブル用コネクタ１に装着する状態を示す側面図である。図９はフラットケーブル用コネクタ１が嵌合する相手コネクタ５の斜視図、図１０は相手コネクタ５の分解斜視図、図１１は相手コネクタ５の正面図、図１２は相手コネクタ５の内部を示す断面図である。図１３はフラットケーブル用コネクタ１と相手コネクタ５の関係を示す斜視図、図１４はフラットケーブル用コネクタ１と相手コネクタ５の嵌合状態を示す斜視図、図１５はフラットケーブル用コネクタ１及び相手コネクタ５の嵌合状態の内部を示す図１４における断面図である。
【００２６】
この実施形態のフラットケーブル用コネクタ１は、フラットケーブル２と中継端子３とが組み付けられ、この組み付け状態で相手コネクタ５に嵌合されることにより、相手コネクタ５に組み込まれた電線６の端末の端子金具７と中継端子３とが接続される。これにより、中継端子３を介してフラットケーブル２と電線６とが接続される構造となっている。
【００２７】
フラットケーブル用コネクタ１は、全体が樹脂によって形成されたコネクタハウジング１１と、コネクタハウジング１１の内部に装着される複数の中継端子３とを備えている。
【００２８】
図１、図２及び図５に示すように、コネクタハウジング１１は、フラットケーブル２の挿入側（左端側）から相手コネクタ５との連結側（右端側）に向ってフラットケーブル端末部挿入部１３、中継端子固定部１４、嵌合フード部１５が順に一体形成されている。
【００２９】
フラットケーブル端末部挿入部１３の後端部（左端部）には、フラットケーブル２が挿入されるケーブル挿入口１６が開口されている。図５に示すように、フラットケーブル端末部挿入部１３には、シール材収容部１７がケーブル挿入口１６に連通するように形成されている。フラットケーブル端末部挿入部１３に続く中継端子固定部１４には、スライダ収容部１８及び中継端子収容部１９が連通するように形成されている。
【００３０】
これらの収容部１７、１８、１９は、コネクタハウジング１１内で連通するように形成された孔部からなっており、シール材収容部１７が最も大きく開口した孔部、スライダ収容部１８は次に大きく開口した孔部、中継端子収容部１９が最も小さく開口した孔部となっている。シール材収容部１７には、フラットケーブル２に取り付けられたシール材９が嵌め込まれた状態で収容され、スライダ収容部１８にはフラットケーブル２に取り付けられたスライダ１０が収容され、中継端子収容部１９は中継端子３が収容される。
【００３１】
嵌合フード部１５は、フラットケーブル端末部挿入部１３及び中継端子固定部１４よりも小さな幅となるようにコネクタハウジング１１の先端部（右端部）に形成されている。嵌合フード部１５は、その外面（上面）に相手コネクタ５と嵌合するロック突起２０が形成されている。又、嵌合フード部１５は、後述する相手コネクタ５のコネクタ本体５０が嵌合するものであり、孔形状の相手コネクタ挿入部２１が形成されている。
【００３２】
さらに、嵌合フード部１５の両側部には相手コネクタ５との嵌合方向に延びるガイド片２２が形成されている。ガイド片２２は、相手コネクタ５に対して嵌合フード部１５を嵌合する際のガイドとなるものであり、これによりフラットケーブル用コネクタ１の相手コネクタ５への嵌合操作を安定して行うことができる。
【００３３】
図１及び図６に示すように、フラットケーブル２は、配線パターンが形成されたＦＰＣ、ＦＦＣ等からなる可撓性のケーブル本体２５と、ケーブル本体２５における先端（右端）の端末部２６に取り付けられたシール材９及びスライダ１０とによって形成されている。フラットケーブル２においては、シール材９及びスライダ１０が取り付けられた端末部２６がフラットケーブル用コネクタ１のコネクタハウジング１１におけるフラットケーブル端末部挿入部１３に挿入される。
【００３４】
シール材９は、複数のリブ部９ａが外周面に形成されたゴムによって形成されている。ケーブル本体２５の端末部２６がシール材９を貫通することにより、シール材９が端末部２６に取り付けられる。フラットケーブル２の端末部２６をフラットケーブル端末部挿入部１３に挿入すると、シール材９がシール材収容部１７に収容されると共にこの収容状態でシール材収容部１７の内周面に密着した状態となる（図２及び図１５参照）。これにより、フラットケーブル２の挿入側に防水機能が付与される。
【００３５】
スライダ１０は、シール材９よりもさらに先端側に位置するようにケーブル本体２５の端末部２６に取り付けられる。図６に示すように、スライダ１０は扁平状のスライダ本体２７と、スライダ本体２７の後側に取り付けられるスライダカバー２８とによって形成されている。かかるスライダ１０は、フラットケーブル２をフラットケーブル用コネクタ１のハウジング１１に挿入することにより、コネクタハウジング１１のスライダ収容部１８に収容される。
【００３６】
スライダ本体２７は、フラットケーブル２の端末部２６における一面側（上面側）３５を覆うものであり、その下面にはフラットケーブル２の端末部２６の外形形状に合わせた収容凹部３４が形成されている。収容凹部３４にフラットケーブル２の端末部２６を嵌め込むことにより、端末部２６の一面側３５がスライダ本体２７（スライダ１０）に覆われた状態となる。
【００３７】
スライダ本体２７は、上方に突出するストッパ壁２９を有しており、このストッパ壁２９がコネクタハウジング１１のスライダ収容部１８の内壁に当接する。この当接により、スライダ１０のスライダ収容部１８への位置決めが行われる。スライダ本体２７の下面には、複数のボス３１が突設しており、このボス３１がフラットケーブル２の端末部２６に形成されたボス孔３２に嵌り込むことにより、スライダ本体２７がフラットケーブル２の端末部２６に位置決め状態で固定される。
【００３８】
スライダカバー２８は、スライダ本体２７のボス３１が嵌め込まれるボス孔３３を有しており、スライダ本体２７との間でフラットケーブル２の端末部２６を挟んだ状態でスライダ本体２７に連結される。スライダカバー２８は、スライダ本体２７の後側（左側）に連結されるものであり、スライダ本体２７にスライダカバー２８を取り付けた状態では、フラットケーブル２の端末部２６の他面側３６の先端部がスライダ１０から露出した状態となる。端末部２６の他面側の先端部が露出することにより、この先端部に形成されている配線パターンの電極部（図示省略）が中継端子３と接触して導通することができる。
【００３９】
図７及び図８に示すように、中継端子３は端子本体４１と、端子本体４１の一側に形成された相手端子接続部としての雄タブ端子部４２と、端子本体４１の他側に一体に形成されたフラットケーブル端末接続部４３とを有し、全体が導電性金属により形成されている。
【００４０】
相手端子接続部としての雄タブ端子部４２は、相手コネクタ５に収容されている端子金具７が弾性的に接触することにより端子金具７と接続される。
【００４１】
フラットケーブル端末接続部４３は、コネクタハウジング１１のフラットケーブル端末部挿入部１３に挿入されたフラットケーブル２の端末部２６と接続されるものであり、弾性を有して上方側（端末部２６側）に立ち上げられたばね端子４５と、ばね端子４５の両側部に設けられた保護壁４６とによって形成されている。
【００４２】
ばね端子４５は、スライダカバー２８から露出しているフラットケーブル２の端末部２６の他面側３６に弾性的に接触することにより、他面側３６の電極部と接触する。これにより、フラットケーブル２と中継端子３とが電気的に接続される。保護壁４６は、ばね端子４５の両側部でばね端子４５と同方向に立ち上げられており、ばね端子４５が傷つくことを防止している。
【００４３】
図８は、中継端子３をフラットケーブル用コネクタ１のコネクタハウジング１１に挿入する状態を示している。中継端子３は、端子圧入治具４７を用いてケーブル挿入口１６からコネクタハウジング１１の中継端子収容部１９に収容される。中継端子３は矢印Ｆで示す方向に沿って圧入されることにより中継端子収容部１９に挿入される。保護壁４６は、ばね端子４５の両側部に位置しており、圧入の際に端子圧入治具４７によってばね端子４５が傷つくことを防止する。
【００４４】
図７及び図８に示すように、中継端子３の端子本体４１には係止ダボ４８が形成されている。係止ダボ４８は、端子本体４１の両側部から幅方向に突出するように形成されており、中継端子３をコネクタハウジング１１に圧入する端子圧入治具４７の先端が当接可能となっている。このように端子圧入治具４７の先端が当接することにより、コネクタハウジング１１への圧入力を中継端子３に作用させることができる。これにより、中継端子３をコネクタハウジング１１の中継端子収容部１９まで圧入させることが可能となる。かかる係止ダボ４８は、コネクタハウジング１１の中継端子収容部１９の内壁に係止される。この係止により、中継端子３をコネクタハウジング１１に確実に取り付けることができる。
【００４５】
この実施形態において、中継端子３を収容する中継端子収容部１９には、中継端子固定部４９が形成されている。図５に示すように、中継端子固定部４９は、コネクタハウジング１１のフラットケーブル端末部挿入部１３と嵌合フード部１５との間に設けられており、フラットケーブル端末部挿入部１３と嵌合フード１５の相手コネクタ挿入部２１とを連通する固定挿通孔によって形成されている。固定挿通孔からなる中継端子固定部４９には、端子本体４１が挿入され、この挿入によって中継端子３が中継端子固定部４９（コネクタハウジング１１）に固定される。
【００４６】
図９〜図１２に示すように、相手コネクタ５はコネクタ本体５０と、コネクタ本体５０を覆う外套部５１と、フロントホルダ５２とによって形成されている。
【００４７】
コネクタ本体５０は、電線６の端末に接続された端子金具７をそれぞれ収容する端子収容室５３を複数有している。図１２に示すように、それぞれの端子収容室５３には係止ランス５４が設けられており、端子収容室５３に挿入された端子金具７に係止ランス５４が係止することにより、端子金具７の先端側（右端側）への抜け止めを防止している。
【００４８】
フロントホルダ５２は、コネクタ本体５０が挿入されることによりコネクタ本体５０の外周に取り付けられる。フロントホルダ５２をコネクタ本体５０の外周に取り付けることにより、フロントホルダ５２は端子金具７が端子収容室５３から抜け出ることを阻止する。
【００４９】
外套部５１は、コネクタ本体５０の外側でコネクタ本体５０を覆っており、コネクタ本体５０との間にフラットケーブル用コネクタ１の嵌合フード部１５が挿入される。外套部５１には、フラットケーブル用コネクタ１側の嵌合フード部１５に形成されているロック突起２０と係合するロック部５６が形成されている（図１１及び図１２参照）。又、外套部５１の内壁には、嵌合フード部１５のガイド片２２が摺動するガイド溝５７が形成されている。
【００５０】
以上に加えて、相手コネクタ５にはゴムパッキン５９が設けられている。図１２及び図１５に示すように、ゴムパッキン５９はコネクタ本体５０の外周面の全体を覆うようにコネクタ本体５０に嵌められるものである。又、ゴムパッキン５９はフロントホルダ５２よりも先端側（右端側）に位置する配置されており、フロントホルダ５２によって抜け止めがなされている。
【００５１】
図１５に示すように、フラットケーブル用コネクタ１の嵌合フード部１５を相手コネクタ５の外套部５１に挿入することにより、ゴムパッキン５９がコネクタ本体５０の外周面と嵌合フード部１５の内壁との間を封鎖する。これにより、フラットケーブル用コネクタ１（嵌合フード部１５）と相手コネクタ５（コネクタ本体５０）との間の防水を行うことができる。
【００５２】
さらに、電線６のそれぞれには、ゴムからなる防水栓６０が取り付けられている。防水栓６０はそれぞれの電線６の端末に取り付けられており、端子金具７を端子収容室５３に挿入することにより、端子収容室５３の内壁と電線６の外周面とを封鎖する。これにより、相手コネクタ５（端子収容室５３）と電線６との間の防水を行うことができる。
【００５３】
この実施形態において、フラットケーブル用コネクタ１のコネクタハウジング１１に対して中継端子３内に収容する。中継端子３は、コネクタハウジング１１の中継端子収容部１９に収容される。このとき、中継端子３の端子本体４１が中継端子固定部４９に固定され、この固定により雄タブ端子部４２がコネクタハウジング１１の相手コネクタ挿入部２１内に突出した状態となる（図５参照）。
【００５４】
次に、フラットケーブル２をケーブル挿入口１６からコネクタハウジング１１の内部に挿入する。フラットケーブル２の端末部２６には、スライダ１０が取り付けられており、このスライダ１０がスライダ収容部１８に挿入されることにより、フラットケーブル２の挿入が終了する。挿入されたフラットケーブル２の端末における他面側３６の電極部に対しては、それぞれの中継端子３のばね端子４５が弾性的に接触し、この接触によりフラットケーブル２と中継端子３とが電気的に接続される。
【００５５】
かかるフラットケーブル２のコネクタハウジング１１への挿入により、フラットケーブル２に取り付けられているシール材９がコネクタハウジング１１のシール材収容部１７の内壁に密着するため、フラットケーブル２の挿入部分に防水機能を付与することができる。
【００５６】
次に、電線６の端末の端子金具７を端子収容室５３に収容した状態の相手コネクタ５に対し、嵌合フード部１５を外套部５１に挿入してフラットケーブル用コネクタ１を相手コネクタ５に取り付ける。この挿入により、端子収容室５３内の端子金具７がフラットケーブル用コネクタ１側の中継端子３における雄タブ端子部４２に弾性的に接触する。そして、この接触により中継端子３を介して端子金具７（電線６）とフラットケーブル２とを電気的に接続することができる。
【００５７】
以上の実施形態によれば、フラットケーブル２の端末部２６にシール材９が装着されており、フラットケーブル２をフラットケーブル用コネクタ１のコネクタハウジング１１に挿入することにより、シール材９がコネクタハウジング１１のシール材収容部１８に収容されてフラットケーブル２の挿入部分に防水機能を持たせることができる。
【００５８】
又、スライダ１０がフラットケーブル２の端末部２６に取り付けられており、スライダ１０によってフラットケーブル２を中継端子３に接続させることができ、フラットケーブル２と中継端子３との接続を確実に行うことができる。
【００５９】
又、中継端子３がコネクタハウジング１１に収容されることにより、中継端子３の相手端子接続部４２が相手コネクタ５の端子金具７に接触するため、フラットケーブル２と相手コネクタ５の端子金具７とを電気邸に接続することができる。
【００６０】
又、中継端子３の係止ダボ４８がコネクタハウジング１１の内壁に係止されるため、中継端子３をコネクタハウジング１１に確実に取り付けることができ、しかも中継端子３のばね端子４５がフラットケーブル２の端末部２６に弾性を有して接触するため、中継端子３とフラットケーブル２との接続を確実に行うことができ、さらに、ばね端子４５の両側部に保護壁４６が形成されているため、中継端子３をコネクタハウジング１１内に挿入する際にばね端子４５を保護することができる。
【００６１】
又、フラットケーブル２のフラットケーブル端末部挿入部１３にシール材収容部１７と、中継端子収容部１９と、スライダ収容部１８とが形成されているため、シール材９、中継端子３、フラットケーブル２のスライダ１０を確実に収容することができ、しかも中継端子３を固定する固定挿通孔４９がコネクタハウジング１１に形成されているため、中継端子３をコネクタハウジング１１内に簡単に収容することができる。
【００６２】
又、相手コネクタ５の外套部５１に対して嵌合フード部１５を嵌合させることにより、相手コネクタ５とフラットケーブル用コネクタ１とを接続することができる。
【符号の説明】
【００６３】
１  フラットケーブル用コネクタ
２  フラットケーブル
３  中継端子
５  相手コネクタ
６  電線
７  端子金具
９  シール材
１０  スライダ
１１  コネクタハウジング
１３  フラットケーブル端末部挿入部
１４  中継端子固定部
１５  嵌合フード部
１７  シール材収容部
１８  スライダ収容部
１９  中継端子収容部
２５  ケーブル本体
２６  端末部
２７  スライダ本体
２８  スライダカバー
３５  端末部の一面側
３６  端末部の他面側
４１  端子本体
４２  相手端子接続部（雄タブ端子部）
４３  フラットケーブル端末接続部
４５  ばね端子
４６  保護壁
４８  係止ダボ
４９  中継端子固定部
５０  コネクタ本体
５１  外套部
５２  フロントホルダ
５３  端子収容室
【図１】
0005736137.tif 000002
【図２】
0005736137.tif 000003
【図３】
0005736137.tif 000004
【図４】
0005736137.tif 000005
【図５】
0005736137.tif 000006
【図６】
0005736137.tif 000007
【図７】
0005736137.tif 000008
【図８】
0005736137.tif 000009
【図９】
0005736137.tif 000010
【図１０】
0005736137.tif 000011
【図１１】
0005736137.tif 000012
【図１２】
0005736137.tif 000013
【図１３】
0005736137.tif 000014
【図１４】
0005736137.tif 000015
【図１５】
0005736137.tif 000016
【図１６】
0005736137.tif 000017
【図１７】
0005736137.tif 000018
【図１８】
0005736137.tif 000019